(57)【特許請求の範囲】
【請求項１】
複数の発光体を有する固体照明パネルを制御するためのシステムであって、
前記複数の発光体に電流を選択的に供給するように動作する少なくとも１つの電流ドライバーと、
前記複数の発光体の出力をモニターするように動作する複数のセンサーであって、前記複数のセンサーは光センサーからなる第一部分と、その他のセンサーからなる第二部分
からなる、複数のセンサーと、
前記複数のセンサーの前記第一部分に応答し、対応する強度および／または色調計算から得た強度および／または色調情報を含む色管理情報を発生するように動作する色管理部と、
前記色管理情報および前記複数のセンサーの前記第二部分に応答して色管理処理を実行し、デューティーサイクルデータを発生するように動作する色管理マイクロプロセッサーと、
前記デューティーサイクルデータを受け取り、前記少なくとも１つの電流ドライバーを制御するように動作するデューティーサイクルマイクロプロセッサーとを備え、
前記色管理マイクロプロセッサーは、ユーザー入力に応答して前記デューティーサイクルデータを発生するように構成されており、前記色管理マイクロプロセッサーと前記色管理部と前記デューティーサイクルマイクロプロセッサーは別々のハードウェアユニットであることを特徴とするシステム。
【請求項２】
前記複数のセンサーの第二部分は、熱センサーであることを特徴とする請求項１に記載のシステム。
【請求項３】
複数の固体発光体を有する固体照明パネルを制御する方法であって、
前記複数の固体発光体の出力を検出する光センサーからの信号を利用して色管理部内で前記色管理情報を発生するステップと、
前記色管理情報を前記色管理マイクロプロセッサーに伝達するステップと、
前記複数の固体発光体の性能データを、前記光センサー以外のセンサーによって前記色管理マイクロプロセッサーによる受け取りのために検出するステップと、
前記色管理部から受け取った前記色管理情報に応答して前記色管理マイクロプロセッサー内に発光体制御データを発生するステップであって、前記色管理情報は対応する強度および／または色調計算から得た強度および／または色調情報を含むステップと、
前記色管理マイクロプロセッサーから受け取った前記発光体制御データに応答してデューティーサイクルマイクロプロセッサーにより前記複数の固体発光体を制御するステップと、
前記色管理マイクロプロセッサーへのユーザー入力を受け取るステップと、を含み、
前記発光体制御データはデューティーサイクルデータを含み、前記発光体制御データは前記ユーザー入力に応答して修正され、
前記色管理マイクロプロセッサーと前記色管理部と前記デューティーサイクルマイクロプロセッサーは別々のハードウェアユニットであることを特徴とする方法。
【請求項４】
前記複数の固体発光体を、電気的に直列結合された複数の発光体の一部を含むように構成された複数の発光体ストリングにグループ化するステップと、
複数の電流ドライバーを用いて前記複数の発光体ストリングを駆動するステップと、
前記デューティーサイクルマイクロプロセッサーから複数の制御信号を前記複数の電流ドライバーが受け取るステップと
をさらに含むことを特徴とする請求項３に記載の方法。
【請求項５】
前記駆動するステップは、パルス幅変調（ＰＷＭ）を発生して前記複数の発光体ストリングを制御するステップを含むことを特徴とする請求項４に記載の方法。
【請求項６】
前記デューティーサイクルマイクロプロセッサーに伝達される前記発光体制御データのために前記色管理マイクロプロセッサーをポーリングするステップをさらに含むことを特徴とする請求項３に記載の方法。
【請求項７】
前記性能データは、前記複数の固体発光体の出力に対応する複数の温度値を含むことを特徴とする請求項３に記載の方法。
【請求項８】
前記性能データは、前記複数の固体発光体の出力に対応する複数の色性能値を含むことを特徴とする請求項３に記載の方法。
【請求項９】
複数の固体発光体を有する固体照明パネルを制御するためのシステムであって、
前記複数の固体発光体のための色性能情報に応答して色管理データ処理を実行し、複数のデューティーサイクルデータ値を発生するように動作する色管理マイクロプロセッサーと、
複数の光センサーからの出力を受け取り、対応する強度および／または色調計算から得た強度および／または色調情報を含む色管理情報を発生し、前記色管理情報を前記色管理マイクロプロセッサーに伝達するように構成された色管理部と、
前記色管理マイクロプロセッサーから前記複数のデューティーサイクルデータ値を受け取り、前記複数の固体発光体を制御するように動作するデューティーサイクルマイクロプロセッサーと
前記複数の固体発光体の出力を検出する用に動作する前記複数の光センサーを含む複数のセンサーと、
を備え、
前記色管理マイクロプロセッサーは、ユーザー入力を受け取り、前記複数のデューティーサイクルデータ値を修正し、
前記複数のセンサーは光センサーからなる第一部分とその他のセンサーからなる第二部分を含み、
前記色管理部は前記複数のセンサーの第一部分に応答し、
前記色管理マイクロプロセッサーが前記複数のセンサーの第二部分に応答して、色管理処理を実行するように動作し、
前記色管理マイクロプロセッサーと前記色管理部と前記デューティーサイクルマイクロプロセッサーは別々のハードウェアユニットであることを特徴とするシステム。
【請求項１０】
前記デューティーサイクルマイクロプロセッサーから複数のパルス幅変調（ＰＷＭ）信号を受け取り、前記複数の発光体に選択的に電流を供給するように動作する複数の電流ドライバーをさらに備えることを特徴とする請求項９に記載のシステム。
【請求項１１】
前記デューティーサイクルマイクロプロセッサーは、更新されたデューティーサイクルデータのために前記色管理マイクロプロセッサーをポーリングするように構成されていることを特徴とする請求項９に記載のシステム。
【発明の詳細な説明】
【技術分野】
【０００１】
本発明は、固体照明に関し、より詳細には、固体照明パネルの制御に関する。
【背景技術】
【０００２】
固体照明（ｓｏｌｉｄ  ｓｔａｔｅ  ｌｉｇｈｔｉｎｇ）アレイは、多くの照明用途に使用されている。たとえば、固体照明デバイスのアレイを備える固体照明パネルが、建築および／またはアクセント照明等において直接照明源（ｄｉｒｅｃｔ  ｉｌｌｕｍｉｎａｔｉｏｎ  ｓｏｕｒｃｅ）として使用されてきた。照明パネルは、たとえばＬＣＤディスプレイのためのバックライトユニット（ＢＬＵ）として用いてもよい。固体ＢＬＵには、たとえば、１つ又は複数の発光ダイオード（ＬＥＤ）を備えるパッケージングされた発光デバイスを含めることができる。
【０００３】
ＬＥＤは、ＬＥＤから発せられる光の強度がＬＥＤを通じて流れる電流の量に関連しているという意味で、電流制御デバイスである。固体照明パネルは、複数のＬＥＤの複数の色と各色の個別の強度制御とによって、多様な色調（ｃｏｌｏｒ  ｈｕｅ）を発生できるように構成することができる。色および強度の正確な制御には、多大なプロセッシングリソースを必要とする、データ量が多く、かつ／または繰り返しのプロセッサーオペレーションを伴う可能性がある。
【発明の概要】
【発明が解決しようとする課題】
【０００４】
ＬＥＤを通じて流れる電流を制御して所望の強度および色混合を達成する一般的な方法の１つは、パルス幅変調（ＰＷＭ）スキームである。ＰＷＭスキームは、ＬＥＤを交互に全電流（ｆｕｌｌ ｃｕｒｒｅｎｔ）の「ＯＮ」状態にパルスし、「ＯＮ」状態はその後０電流の「ＯＦＦ」状態となる。総サイクル時間に対するＯＮ時間の比は、デューティーサイクルと定義され、一定のサイクル周波数においては時間平均光度（ｌｕｍｉｎｏｕｓ ｉｎｔｅｎｓｉｔｙ）を決定する。デューティーサイクルを０％から１００％に変化させると、人間の目に知覚されるＬＥＤの強度が対応して０％から１００％に変化する。これは、人間の目がＯＮ／ＯＦＦパルスを時間平均光度に統合するからである。プロセッサーを使用して電流ドライバーへのＰＷＭ信号を発生することができる。
本発明の目的は、固体照明の色と強度を、ＰＷＭスキームを使用して正確にすばやく制御することである。
【課題を解決するための手段】
【０００５】
本発明のいくつかの実施形態による、複数の発光体を有する固体照明パネルを制御するシステムは、前記発光体に選択的に電流を供給するように構成された少なくとも１つの電流ドライバーを備える。前記システムは、また、前記発光体の性能（ｐｅｒｆｏｒｍａｎｃｅ）をモニターするセンサーと、前記センサーに応答し、前記発光体の光出力を制御するための色管理情報を発生するように動作する色管理部とを備える。前記システムは、前記色管理情報に応答して色管理処理を実行し、デューティーサイクルデータを発生するように動作する第１のコントローラーをさらに備える。第２のコントローラーは、前記デューティーサイクルデータを受け取り、前記少なくとも１つの電流ドライバーを制御するように動作する。
【０００６】
他の実施形態では、前記第１のコントローラーは、ユーザー入力を受け取って、前記第１のコントローラーが前記ユーザー入力に応答して前記デューティーサイクルデータを調整するように構成することもできる。
【０００７】
さらなる実施形態においては、マスターコンポーネントが前記第１及び第２のコントローラー並びに前記少なくとも１つの電流ドライバーを備えていてもよい。スレーブコンポーネントが、前記マスターコンポーネントの前記第２のコントローラーにより制御可能な少なくとも１つの他の電流ドライバーを備えていてもよい。
【０００８】
さらなる実施形態においては、前記第２のコントローラーは、また、前記第１のコントローラーからデューティーサイクルデータを受け取るように構成された入力ロジックを備えてもよい。
【０００９】
さらなる実施形態においては、前記センサーのうちの１つが、色性能信号を発生するように動作する光センサー及び／又は温度信号を発生するように動作する熱センサーであってもよい。
【００１０】
他の実施形態では、前記第１及び第２のコントローラーは、マイクロプロセッサーとすることができる。
【００１１】
本発明のいくつかの実施形態による、複数の固体発光体を有する固体照明パネルを制御する方法は、前記固体照明パネルから受け取った色管理情報に応答して、第１のコントローラー内に発光体制御データを発生するステップを含む。複数の固体発光体を、前記第１のコントローラーから受け取った前記発光体制御データに応答して第２のコントローラーにより制御することができる。
【００１２】
いくつかの実施形態では、前記発光体制御データはデューティーサイクルデータとしてもよい。
【００１３】
前記方法は、前記複数の発光体を、電気的に直接結合された発光体の一部を含むように構成された複数の発光体ストリングにグループ化するステップと、複数の電流ドライバーを使用して前記複数の発光体ストリングを駆動するステップと、前記第２のコントローラーから前記複数の電流ドライバーへの複数の制御信号を受け取るステップとをさらに含んでもよい。前記駆動するステップは、パルス幅変調（ＰＷＭ）を用いて前記封数の発光体ストリングを制御するステップを含むことができる。
【００１４】
さらにほかの実施形態では、前記第１のコントローラーは、前記第２のコントローラーに伝達される前記発光体制御データのために調査（ｐｏｌｌ）されてもよい。
【００１５】
他の実施形態では、色管理部に複数の性能信号を伝達するステップを含むこともできる。
【００１６】
さらに他の実施形態では、前記発光体に対応する性能データを検出するステップを含んでもよい。前記性能データには、前記発光体に対応する温度値および／または色性能値を含めることができる。
【００１７】
さらなる実施形態では、色管理部で色管理情報を発生するステップと、前記色管理情報を前記第１のコントローラーに伝達するステップとを含んでもよい。
【００１８】
さらなる実施形態では、前記第１のコントローラーへのユーザー入力を受け取り、前記発光体制御データが前記ユーザー入力に応答して変更されるステップを含んでもよい。
【００１９】
本発明のいくつかの実施形態による、複数の固体発光体を有する固体照明パネルを制御するシステムは、前記固体発光体の色管理情報に応答して色管理データの処理を実行し、デューティーサイクルデータ値を発生するように動作する第１のマイクロプロセッサーと、前記第１のプロセッサーから前記デューティーサイクルデータ値を受け取り、複数の発光体を制御するように動作する第２のマイクロプロセッサーとを備える。
【００２０】
いくつかの実施形態では、前記第２のマイクロプロセッサーからパルス幅変調（ＰＷＭ）信号を受け取って、前記発光体に選択的に電流を供給するように動作する電流ドライバーを備えてもよい。
【００２１】
他の実施形態では、ディプレイ性能値（ｄｉｓｐｌａｙ  ｐｅｒｆｏｒｍａｎｃｅ  ｖａｌｕｅ）を検出するための手段を備えてもよい。
【００２２】
さらに他の実施形態では、性能信号を受け取り、色管理情報を発生し、そして前記第１のマイクロプロセッサーに前記色管理情報を伝達するように構成された色管理部を備えてもよい。
【００２３】
さらなる実施形態では、前記第１のマイクロプロセッサーはユーザー入力を受け取るようにさらに構成されていてもよい。
【００２４】
さらなる実施形態では、前記第２のプロセッサーは、更新されたデューティーサイクルデータのために前記第１のプロセッサーを調査（ｐｏｌｌ）するように構成されていてもよい。
【００２５】
添付図面は、本発明のさらなる理解を提供するために含まれ、本出願の一部を構成する。添付図面は本発明の特定の実施形態を図解する。
【図面の簡単な説明】
【００２６】
【図１】本発明のいくつかの実施形態による固体照明パネルの上面図を示すブロックズである。
【図２】本発明のいくつかの実施形態による固体照明バーの上面図を示すブロック図である。
【図３】本発明のいくつかの実施形態による固体照明パネルを制御するシステム及び方法を示すブロック図である。
【図４】本発明の他の実施形態による固体照明パネルを制御するシステム及び方法を示すブロック図である。
【図５】本発明のいくつかの実施形態による固体照明パネルを制御するためのオペレーションを示す流れ図である。
【図６】本発明の他の実施形態による固体照明パネルを制御するためのオペレーションを示す流れ図である。
【発明を実施するための形態】
【００２７】
本発明の実施形態が本発明の実施形態を示す添付図面を参照して以下により完全に説明される。しかしながら、本発明は多くの異なる形で具現することができ、本明細書に記載される実施形態に限定されるものと解釈すべきでない。むしろ、これらの実施形態は、本開示が完全なものとなり、当業者の本発明の範囲を十分に伝えるために与えられている。全体を通じて、同様の符号は同様の要素を指す。
【００２８】
様々な要素を記述するために第１、第２などの用語が本明細書で使用されるが、これらの要素はこれらの用語により制限されるべきでないことが理解されるだろう。これらの用語は、ある要素を別のものから区別するためのみに使用されている。たとえば、第１の要素は本発明の範囲から逸脱することなく第２の要素と呼ぶことができたものであり、同様に、第２の要素は第１の要素と呼ぶことができたものである。本明細書で使用される用語「および／または」には、関連づけて列挙された項目の１つ又は複数の任意のすべての組み合わせが含まれる。
【００２９】
層、領域または基板等の要素が別の要素の「上に」存在する又は「上に」延在すると言及されるとき、その要素は別の要素の上に直接に存在または延在しても、介在要素が存在してもよいことが理解されるだろう。対照的に、ある要素が別の要素の「上に直接に」存在する又は「上に直接に」延在すると言及されるとき、介在要素は存在しない。また、ある要素が別の要素に「接続」される又は「結合」されると言及されるとき、その要素は別の要素に直接に接続または結合されていても、介在要素が存在してもよいことが理解されるだろう。対照的に、ある要素が別の要素に「直接に接続」される又は「直接に結合」されると言及されるとき、介在要素は存在しない。また、第１の要素、オペレーション、信号、および／または値が別の要素、条件、信号、および／または値に「応答する（ｒｅｓｐｏｎｓｉｖｅ  ｔｏ）」と言及されるとき、第１の要素、条件、信号、および／または値は別の要素、条件、信号、および／または値に完全に応答して存在かつ／または動作しても部分的に応答して存在かつ／または動作してもよい。
【００３０】
本明細書で使用される専門用語は特定の実施形態を説明する目的でのみ使用されており、本発明を限定することは意図されていない。本明細書で使用される単数形（“a,” “an,” and “the”）は、そうではないと文脈が明らかに示唆しない限り複数形も包含することが意図されている。さらに、用語「含む」、「備える」（“comprises,” “comprising,” “includes” and/or “including”）は本明細書で使用されるとき述べられた形体（ｆｅａｔｕｒｅ）、整数（ｉｎｔｅｇｅｒ）、ステップ、オペレーション、要素、及び／又はコンポーネントの存在を特定するが、１つ又は複数の他の形体、整数、ステップ、オペレーション、要素、コンポーネント、及び/又はこれらの群の存在または追加を除外するものではないことが理解されるだろう。
【００３１】
別段の定めがない限り、本明細書で使用される（技術用語および科学用語を含む）すべての用語は、本発明が属する技術分野の当業者により一般的に理解されるのと同一の意味を有する。さらに、本明細書で使用される用語は、本明細書および関連技術の文脈における意味と整合性のある意味を有するものと解釈されるべきであり、本明細書で明示的に定義されない限り理想化された又は過度に形式的な意味に解釈されないことが理解されるだろう。
【００３２】
本発明は、本発明の実施形体による方法、システム及びコンピュータープログラム製品の流れ図および／またはブロック図を参照して以下に説明される。流れ図および／またはブロック図のいくつかのブロック、並びに流れ図および／またはブロック図のいくつかのブロックの組み合わせをコンピュータープログラム命令により実装できることが理解されるだろう。これらのコンピュータープログラム命令は、マイクロコントローラー、マイクロプロセッサー、デジタル信号プロセッサー（ＤＳＰ）、フィールドプログラマグルゲートアレイ（ＦＰＧＡ）、状態機械、プログラマブルロジックコントローラー（ＰＬＣ）その他の処理回路、汎用コンピューター、専用コンピューター、又は、機械（ｍａｃｈｉｎｅ）を形成するような他のプログラマブルデータ処理装置に記憶または実装することができ、それにより、コンピューター又は他のプログラマブルデータ処理装置のプロセッサーを経由して実行されるそれらの命令が、流れ図および／またはブロック図のブロックにおいて特定される機能／動作を実施する手段を作り出す。
【００３３】
これらのコンピュータープログラム命令は、コンピューター又は他のプログラマブルデータ処理装置を特定の態様で機能させることのできるコンピューター読み取り可能なメモリに記憶することもでき、したがって、コンピューター読み取り可能なメモリに記憶された命令が、流れ図および／またはブロック図のブロックにおいて特定される機能／動作を実施する命令手段を備える製品を生み出す。
【００３４】
コンピュータープログラム命令はまた、コンピューター又は他のプログラマブルデータ処理装置に取り込まれて、一連の実施上（ｏｐｅｒａｔｉｏｎａｌ）のステップがコンピューター又は他のプログラマブル装置上で実行されるようにすることができる。一連の操作上のステップの結果、コンピューター又は他のプログラマブル装置上で実行される命令が、流れ図および／またはブロック図のブロックにおいて特定される機能／動作を実施するためのステップを提供するような、コンピューターにより実施されるプロセス（ｃｏｍｐｕｔｅｒ  ｉｍｐｌｅｍｅｎｔｅｄ  ｐｒｏｃｅｓｓ）が生成される。ブロックにおいて示される機能／動作は実施上の説明において示される順序から外れて生じてもよいことが理解されるだろう。たとえば、連続して示される２つのブロックは実際には実質的に同時に実行されてもよく、また、関連する機能／動作に応じて逆の順序でブロックが実行されてもよい。いくつかの図には、通信の主方向を示すために矢印が通信路上に含まれるが、描かれた矢印とは反対の方向にも通信が可能であることを理解されたい。
【００３５】
本発明のいくつかの実施形態は、プロセッサーが非ＰＷＭ処理タスクを課せられているとＰＷＭ信号発生のサイクルに割り込み（ｉｎｔｅｒｒｕｐｔｉｏｎ）が生じてディスプレイのオペレーションが劣化し得るという認識から生じる。したがって、いくつかの実施形態では、オペレーションを２つの別個のハードウェアユニットに分ける。第１のコントローラーを、色管理オペレーションを実行し、かつ、発光体性能信号およびユーザー入力の受け取り及び加工を行ってデューティーサイクルデータを発生するように構成することができる。第２のコントローラーを、デューティーサイクルデータを使用して発光体ドライバーを制御するように構成することができる。さらに、いくつかの実施形態では、第２のコントローラーは、第１のコントローラーを更新されたデューティーサイクルデータのために調査するように構成することができる。このようにして、第２のコントローラーへの割り込みを低減することができる。いくつかの実施形態では、第１のコントローラーと第２のコントローラーとの間の通信が、シリアル、パラレル及び／又は割り込み駆動であってもよい。
【００３６】
ここで、図１を参照する。図１は、本発明のいくつかの実施形態による固体照明パネル１００の上面図を示すブロック図である。固体照明パネル１００は、発光ダイオード（ＬＥＤ）等の固体発光体を複数有することのできる複数の固体照明バー１０２を備えることができる。固体照明バー１０２は、ＬＥＤに電流を供給できるドライバーとの電気的相互接続を提供するように構成されたバー電気的インターフェース（ｂａｒ  ｅｌｅｃｔｒｉｃａｌ  ｉｎｔｅｒｆａｃｅ）を備えることができる。
【００３７】
本発明のいくつかの実施形態による固体照明バー１０２の上面図を示すブロック図である図２に示すように、各固体照明バー１０２は、発光体ストリング１０６として配置することのできる複数の固体発光体１０８を備えることができる。発光体ストリング１０６は、たとえば電気的に直列結合された複数の発光体１０８を備えることができる。発光体１０８には、たとえば赤、緑および青（ＲＧＢ）を含む異なる色の発光体を含めることができる。各固体照明バー１０２は、個別に制御可能な複数の発光体ストリング１０６を備えることができる。このようにして、固体照明バー１０２は、発光体１０８の各色に対して異なる発光体ストリング１０６を備えることができる。いくつかの実施形態では、固体照明バーは、１つ又は複数の色の複数のストリングを備えることができる。照明パネルの色調は、異なる発光体ストリング１０６の強度を変えることにより制御することができる。いくつかの実施形態では、発光体ストリング１０６は、ＬＥＤにより発せられた青色光の一部を黄色光に変換する波長変換蛍光体で被覆された青色発光ＬＥＤを有する白色ＬＥＤ発光デバイスを採用してもよい。青色光と黄色光との組み合わせである結果として得られる光は観察者には白色に見える。
【００３８】
ここで、本発明のいくつかの実施形態による、固体照明パネルを制御するシステム／方法２００を示すブロック図３を参照する。これらのシステム／方法２００は、性能センサー１４６により発生可能な性能信号を受け取るように構成することのできる色管理コントローラー１４２を備える。性能センサー１４６は、たとえば、熱センサー１４８及び／又はＲＧＢ色管理センサー１５０を備えることができる。他の種類のセンサーも可能であり、たとえば、分光および／または電場／磁場強度センサーが例として挙げられる。熱センサー１４８は、固体照明パネル内の個別の発光体および／または発光体の群の温度に対応する信号を発生することができる。図示されてはいないが、いくつかの実施形態では、熱センサー１４８をマスタードライバーボード１４０及び／又は１つ若しくは複数のスレーブドライバーボード１５８の上に設けてもよい。温度信号は、光出力のバランスを取り、照明パネルの強度の均一性を高めるために用いることができる。ＲＧＢセンサー１５０は、個別の発光体および／または発光体の群の色出力（ｃｈｒｏｍａｔｉｃ  ｏｕｔｐｕｔ）に対応する信号を発生することができる。色信号（ｃｈｒｏｍａｔｉｃ  ｓｉｇｎａｌ）を照明パネル制御システムにおける色フィードバック信号として使用して、照明パネル色出力の均一性を高めることができる。これらのシステム／方法２００は、第１の形式（ｆｏｒｍａｔ）を有する信号を第２の形式を有する信号に変換するように構成された信号変換器１４４を任意選択で備えてもよい。たとえば、性能センサー１４６を、アナログ信号を発生するように構成してもよく、また、色管理コントローラー１４２を、デジタル形式で信号を受け取るように構成してもよい。信号変換器１４４は、性能センサー１４６からアナログ信号を受け取り、色管理コントローラー１４２により受け取られるための、対応するデジタルコード化された信号を発生することができる。いくつかの実施形態では、性能センサー１４６は、信号変換器１４４のオペレーションを伴わずに色管理コントローラー１４２が直接に受け取ることのできる形式で信号を発生するように構成してもよい。
【００３９】
色管理コントローラー１４２は、ユーザー入力１３８を受け取るように構成することもでき、ユーザー入力１３８は、これらに限定されないが強度および／または色を含む照明特性に対する制御参照信号および／または設定を提供することができる。このようにして、色管理コントローラー１４２は、ユーザー入力および性能センサーからの信号に基づいて色管理処理オペレーションを実行することができる。色管理処理の結果に基づいて、色管理コントローラー１４２は、デューティーサイクルデータを発生することができ、デューティーサイクルデータは、発光体ドライバーコントローラー１５２により受け取られることができる。いくつかの実施形態では、色管理コントローラー１４２により発生される割り込みに応答してデューティーサイクルデータの受け取りが生じてもよい。他の実施形態の発光体ドライバーコントローラー１５２は、更新されたデューティーサイクルデータのために色管理コントローラー１４２を調査するように構成してもよい。このようにして、発光体ドライバーコントローラー１５２のオペレーションが割り込みの影響を受けにくくし、それによりディスプレイオペレーションを潜在的に改善することができる。
【００４０】
発光体ドライバーコントローラー１５２は、発光体ドライバー１５４にパルス幅変調（ＰＷＭ）信号を供給するように構成することができる。発光体ドライバーコントローラー１５２からのＰＷＭ信号に応答して、発光体ドライバー１５４は、色管理コントローラー１４２内で発生されたデューティーサイクルデータにしたがってＬＥＤバー１５６内のＬＥＤに電流を供給する。色管理オペレーションに対する処理要件（ｐｒｏｃｅｓｓｉｎｇ  ｒｅｑｕｉｒｅｍｅｎｔ）がＰＷＭ信号を発生するための処理要件とは独立に対処されるので、発光体ドライバーコントローラー１５２は、そうでなければ大量の色管理処理タスクの間に生じ得る割り込みを伴わずに機能することができる。
【００４１】
大量の発光体を有するシステム／方法２００は、マスタードライバーボード１４０と、１つ又は複数のスレーブドライバーボード１５８を用いてもよい。マスタードライバーボード１４０は、色管理処理および／またはＰＷＭオペレーションを実行するように構成してもよい。ＰＷＭ信号は、発光体ドライバーコントローラー１５２から、他のＬＥＤバー１５６に接続されたスレーブドライバーボード１５８上の発光体ドライバー１６０に伝達することができる。いくつかの実施形態では、マスタードライバーボード１４０と非常に類似した機能を含むスレーブドライバーボード１５８を備えてもよく、したがって、スレーブドライバーボード１５８は、指定および／または選択によりスレーブとなる。いくつかの実施形態では、色管理コントローラー１４２及び発光体ドライバーコントローラー１５２を備えるマスタードライバーボード１４０とは異なる単一のドライバーボード上に発光体ドライバー１５４、１６０が配置されることを条件としてもよい。
【００４２】
ここで、本発明の他の実施形態による固体照明パネルを制御するためのシステム／方法を示すブロック図である図４を参照する。システム／及び３００は、複数の発光体（図示せず）を有することのできる照明パネル１７０を備えることができる。発光体は、電流ドライバー１７２により供給される電流の関数として様々なレベルの強度で照らす。電流ドライバー１７２は、デューティーサイクルマイクロプロセッサー１７４から信号を受け取る。いくつかの実施形態では図３の発光体ドライバーコントローラー１５２に相当することのできるデューティーサイクルマイクロプロセッサー１７４は、ＰＷＭ、周波数変調（ＦＭ）および／またはアナログ制御等を含む、発光体出力を制御するための様々なスキームを用いることができる。
【００４３】
デューティーサイクルマイクロプロセッサー１７４は、色管理マイクロプロセッサー１７６からデューティーサイクルデータを受け取ることができ、色管理マイクロプロセッサー１７６は、色管理部１８０及び／又はユーザー入力１７８から色管理情報を受け取ることができる。いくつかの実施形態における色管理マイクロプロセッサー１７４は、図３の色管理コントローラー１４２に相当してもよい。色管理マイクロプロセッサー１７６の処理リソースを利用して、色管理部１８０は、パネル光センサー１８３から受け取られる入力に部分的に基づいて、複雑な強度および／または色調計算を実行することができる。パネル光センサー１８３は、いくつかの実施形態では図３の性能センサー１４６に相当してもよい。光センサー１８３は、個別の発光体および／または発光体の群に対応するＲＧＢデータ等の色データを供給するために使用することができる。色管理マイクロプロセッサー１７６は、温度センサー１８２及び他のセンサー１８４から入力を受け取って、色管理に関連する処理タスクを実行するように構成してもよい。たとえば、温度センサー１８２は、個別の発光体および／または発光体の群に対応する温度データを供給するために使用してもよい。加えて、個別の発光体および／または発光体の群に対応する他のセンサー１８４を用いて、他の性能条件を決定することができる。ユーザー入力１７８は、デューティーサイクルマイクロプロセッサー１７４のデューティーサイクルデータを発生するために、色管理マイクロプロセッサー１７６により受け取られてもよい。
【００４４】
色管理マイクロプロセッサー１７６において色管理処理を実行することにより、デューティーサイクルマイクロプロセッサー１７４は、ＰＷＭまたは他の種類の制御信号を電流ドライバー１７２に供給することに実質的に専念することができる。デューティーサイクルデータは、色管理プロセッサー１７６又は他の関連するシステムデバイスにより送信された割り込みに基づいて、デューティーサイクルマイクロプロセッサー１７４に伝達することができる。いくつかの実施形態では、デューティーサイクルマイクロプロセッサー１７４は、更新されたデューティーサイクルデータのために色管理プロセッサー１７６を調査することができる。さらに他の実施形態では、たとえば、色管理プロセッサー１７６により書き込み可能でデューティーサイクルマイクロプロセッサー１７４により読み出し可能な記憶場所（ｍｅｍｏｒｙ  ｌｏｃａｔｉｏｎ）を備えてもよい。
【００４５】
ここで、本発明のいくつかの実施形態による固体照明パネルを制御するためのオペレーションを示す流れ図である図５を参照する。オペレーション４００は、色管理情報を使用して、第１のコントローラー内で発光体制御データを発生するステップを含むことができる（ブロック４１０）。色管理情報は、固体照明パネル内の発光体の光出力を制御するための色管理情報を発生可能な色管理部から受け取ることができる。色管理部は、温度、色および／または他のパネル性能特性に対応するセンサー入力を受け取ることができる。第１のコントローラーは、色管理情報を使用して、発光体を制御するためのＰＷＭ発光体制御データの更新された値を発生することができる。いくつかの実施形態では、発光体制御データは、デューティーサイクルデータ、電流レベルデータ及び／又は電圧レベルデータとしてもよい。いくつかの実施形態では、オペレーションに、第１のコントローラーに受け取られたユーザー入力に応答して発光体制御データを修正するステップを含んでもよい。
【００４６】
オペレーション４００は、発光体制御データを使用して第２のコントローラーにより発光体を制御するステップを含んでもよい（ブロック４２０）。第２のコントローラーは、第１のコントローラーにより供給される発光体制御情報に従って電流ドライバーを制御するために、発光体制御データを使用することができる。ドライバーは、たとえば電界効果トランジスター（ＦＥＴ）とすることができ、発光体に電流を供給するために第２のコントローラーから制御信号を受け取ることができる。いくつかの実施形態では、第１及び第２のコントローラーをマイクロプロセッサー等のプロセッサーとしてもよい。第１のコントローラーを、受け取ったユーザー入力および色管理情報から発光体制御データを発生することに割り当てることにより、第２のコントローラーは、それらの割り込みを処理することから開放される。このようにして、いくつかの実施形態では、第２のコントローラーに対するユーザー入力および色管理情報からの割り込みを低減することができる。
【００４７】
ここで、本発明の他の実施形態による固体照明パネルを制御するためのオペレーション５００を示す流れ図である図６を参照する。オペレーション５００は、第１のマイクロプロセッサー内で色管理データを処理するステップを含む（ブロック５１０）。色管理処理は、色管理部から受け取ることが可能な色管理情報を処理するために用いることができる。色管理部は、温度、色および／または他のパネル性能特性に対応するセンサー入力を受け取ることができる。オペレーション５００は、第１のマイクロプロセッサー内でデューティーサイクル値を発生するステップを含んでもよい（ブロック５２０）。いくつかの実施形態では、デューティーサイクル値は、ユーザーから受け取った入力に依存する場合がある。デューティーサイクル値は、発光体を制御するためのＰＷＭデューティーサイクルデータの更新された値とすることができる。
【００４８】
オペレーション５００は、第１のマイクロプロセッサーにより発生されたデューティーサイクル値を使用して、第２のマイクロプロセッサーで発光体を制御するステップを含んでもよい（ブロック５３０）。第２のマイクロプロセッサーは、第１のマイクロプロセッサーにより供給されたデューティーサイクル情報に従って電流ドライバーを制御するためにデューティーサイクルデータを用いることができる。ドライバーは、発光体に電流を供給するために第２のコントローラーから制御信号を受け取ることができる。
【００４９】
図面および明細書において、本発明の典型的な実施形態を開示してきた。特定の用語が採用されているが、それらは一般的で記述的な意味でのみ使用されており限定の目的で使用されるものではない。本発明の範囲は、添付の特許請求の範囲に記載される。
【図１】
0005606739.tif 000002
【図２】
0005606739.tif 000003
【図３】
0005606739.tif 000004
【図４】
0005606739.tif 000005
【図５】
0005606739.tif 000006
【図６】
0005606739.tif 000007